(57)【要約】【課題】機器本体の小型化が容易な電子機器及び撮像装置を提供する。【解決手段】外面１０Ｓ側に突出するガイド部材を有する前板１０を含む筐体と、前板１０の外面１０Ｓ側に配置され、ガイド部材が挿入されて案内される長穴状のガイド穴６８を有するスライドカバー６０と、前板１０の外面１０Ｓ側に配置され、ガイド部材がガイド穴６８に挿入された状態を保持しかつスライドカバー６０が前板１０に対して離間しないように、スライドカバー６０の位置を規制する押さえ板７０と、を備える。【選択図】図３
2013080216.tif 000002
【特許請求の範囲】
【請求項１】
外面側に突出するガイド部材を有する板状部材を含む筐体と、
前記板状部材の外面側に配置され、挿入される前記ガイド部材によって案内される長穴状のガイドレールを有するスライドカバーと、
前記板状部材の外面側に配置され、前記ガイド部材が前記ガイドレールに挿入された状態を保持しかつ前記スライドカバーが前記板状部材に対して離間しないように、前記スライドカバーの位置を規制する規制部材と、
を備えた電子機器。
【請求項２】
前記ガイド部材は、前記板状部材の外面と垂直な方向を回転軸として回転可能に設けられたローラーであり、
前記ガイドレールは、前記ローラーと当接するローラー受け部を備えた、
請求項１記載の電子機器。
【請求項３】
前記スライドカバーは、前記ガイドレールに沿って形成される開口部を有し、
前記規制部材は、前記開口部の長辺に沿って移動可能に前記開口部に係止されている、
請求項１又は２記載の電子機器。
【請求項４】
外面側から突出するガイド部材を有する板状部材を含む筐体と、
前記筐体に取り付けられるレンズと、
前記板状部材の外面側に配置され、挿入される前記ガイド部材によって案内される長穴状のガイドレールを有するスライドカバーと、
前記板状部材の外面側に配置され、前記ガイド部材が前記ガイドレールに挿入された状態を保持しかつ前記カバーが前記本体に対して離間しないように、前記カバーの位置を規制する規制部材と、
を備えた撮像装置。
【発明の詳細な説明】
【技術分野】
【０００１】
ここに開示される技術は、スライドカバーを備える電子機器及び撮像装置に関する。
【背景技術】
【０００２】
従来、筐体の一部を構成する前板と、前板に固定されるレンズと、前板に形成される開口にスライド可能に取り付けられるスライドカバーと、を備えるデジタルカメラが知られている（特許文献１参照）。特許文献１のデジタルカメラでは、スライドカバーをスライドさせることによって、レンズを露出することができる。
【先行技術文献】
【特許文献】
【０００３】
【特許文献１】特開２０１０−２１０９３６号公報
【発明の概要】
【発明が解決しようとする課題】
【０００４】
特許文献１に記載の従来のデジタルカメラは、機器本体の小型化が困難であるという課題があった。具体的に、従来のデジタルカメラでは、前板の内側、すなわち機器本体内部に配置される押さえ板とスライドカバーとで前板を挟み込む構造により、スライドカバーを前板に対してスライド可能としていた。しかしながらこの構造では、機器本体内に押さえ板を配置する必要があるため、機器本体の小型化が困難であった。
【０００５】
ここに開示される技術は、上述の状況に鑑みてなされたものであり、機器本体の小型化が容易な電子機器及び撮像装置を提供することを目的とする。
【課題を解決するための手段】
【０００６】
ここに開示される電子機器は、外面側に突出するガイド部材を有する板状部材を含む筐体と、板状部材の外面側に配置され、ガイド部材が挿入されて案内される長穴状のガイドレールを有するスライドカバーと、板状部材の外面側に配置され、ガイド部材がガイドレールに挿入された状態を保持しかつスライドカバーが板状部材に対して離間しないように、スライドカバーの位置を規制する規制部材と、を備える。
【発明の効果】
【０００７】
ここに開示される技術によれば、機器本体の小型化が容易な電子機器を提供することができる。
【図面の簡単な説明】
【０００８】
【図１】デジタルカメラの斜視図
【図２】デジタルカメラの正面図
【図３】デジタルカメラの分解斜視図
【図４】デジタルカメラの分解斜視図
【図５】デジタルカメラの分解斜視図
【図６】図３のＡ−Ａ線における断面図
【図７】図６の部分拡大図
【発明を実施するための形態】
【０００９】
次に、図面を用いて、実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、スライドカバーを備える電子機器としてデジタルカメラを例に挙げて説明する。以下の説明では、通常姿勢（以下、横撮り姿勢ともいう）のデジタルカメラを基準として、被写体に向かう向きを「前」、被写体の反対に向かう向きを「後」、鉛直上向きを「上」、鉛直下向きを「下」、被写体に正対した状態における右向きを「右」、被写体に正対した状態における左向きを「左」、と表現する。また、以下の実施形態では、デジタルカメラのスライドカバーの開状態が「電源ＯＮ状態」に対応し、デジタルカメラのスライドカバーの閉状態が「電源ＯＦＦ状態」に対応する。
【００１１】
（デジタルカメラ１００の全体構成）
実施形態に係るデジタルカメラ１００の全体構成について、図面を参照しながら説明する。図１（ａ）は、実施形態に係るデジタルカメラ１００を前方から見た斜視図である。図１（ｂ）は、実施形態に係るデジタルカメラ１００を後方から見た斜視図である。図２（ａ）は、実施形態に係るデジタルカメラ１００の電源ＯＦＦ状態を示す正面図である。図２（ｂ）は、実施形態に係るデジタルカメラ１００の電源ＯＮ状態を示す正面図である。
【００１２】
デジタルカメラ１００は、前板１０（「板状部材」の一例）と、後板２０と、上板３０と、側板４０と、スライドカバー６０と、モニタ２５と、レンズ８０と、を備える。前板１０、後板２０、上板３０、側板４０は、本実施形態に係る「筐体」を構成する。
前板１０は、筐体の前側のパネルを構成する。前板１０は、最も面積が広い平面が前方を向くように配置される。前板１０は、外面１０Ｓ及び内面１０Ｔを有する（図３参照）。後板２０は、筐体の後側のパネルを構成する。上板３０は、筐体の上側のパネルを構成する。側板４０は、筐体の左側面のパネルを構成する。なお、筐体の右側面は、前板１０の右端部および後板２０の右端部が湾曲して回り込むことにより構成されている。スライドカバー６０は、上下方向に沿ってスライド可能に前板１０に取り付けられる。スライドカバー６０は、上方にスライドされることで閉状態となり、下方にスライドされることで開状態となる。スライドカバー６０の構成については後述する。モニタ２５は、後板２０の内側に固定される。レンズ８０は、前板１０の内面１０Ｔ側に配置される。レンズ８０は、スライドカバー６０が閉状態の場合にスライドカバー６０によって覆われ、スライドカバー６０が開状態の場合にスライドカバー６０から露出する。
【００１３】
（前板１０の構成）
実施形態に係る前板１０の構成について、図面を参照しながら説明する。図３は、実施形態に係るデジタルカメラ１００のうち前板１０およびスライドカバー６０周辺の分解斜視図である。
前板１０は、図３に示すように、非可視部１０Ｈと、一対のレンズ開口部１１と、一対のばね開口部１２と、３つの押さえ板固定穴１３と、一対のピン固定穴１５と、２組のシャフト固定穴１８と、を有する。
【００１４】
非可視部１０Ｈは、筐体正面から見た場合に、スライドカバー６０が開状態においても、閉状態においても、スライドカバー６０に隠れる前板１０の領域を指す。
レンズ開口部１１は、非可視部１０Ｈの上方に形成される。レンズ開口部１１は、前板１０の左上部分に形成される。レンズ開口部１１には、レンズ８０が取り付けられる。レンズ開口部１１を通して外部の光がレンズ８０に入射する。
【００１５】
ばね開口部１２は、非可視部１０Ｈに形成される。ばね開口部１２は、スライドカバー６０が開状態と、閉状態と、スライド中の状態（以下、遷移状態という。）と、のいずれの状態においても、取り付けられた中立ばね８５が前板１０と干渉しない形状を有する。
押さえ板固定穴１３は、非可視部１０Ｈの左右方向における中央付近と、左端と、右端と、の３箇所に形成される。押さえ板固定穴１３は、ねじ９３のねじ部径より大きく、かつ、ねじ９３の頭径より小さな直径の円形状を有する。
【００１６】
ピン固定穴１５は、非可視部１０Ｈ内、かつ、ばね開口部１２の付近に形成される。ピン固定穴１５は、ピン９５のかしめ部より大きく、かつ、ピン９５のばね固定部より小さな直径の円形状を有する。内面１０Ｔ側から挿入されたかしめ部がかしめられることにより、ピン固定穴１５にピン９５が固定される。
２組のシャフト固定穴１８は、非可視部１０Ｈの上部に１つ、下部に１つ、を１組として、上下方向に並んで形成される。シャフト固定穴１８は、非可視部１０Ｈの左端に１組、右端に１組、の計２組、計４つ形成される。２組のシャフト固定穴１８は、互いに平行に配置される。シャフト固定穴１８は、シャフト９８のかしめ部より大きく、かつ、シャフト９８のローラー固定部より小さな直径の円形状を有する。ローラー８８（ガイド部材の一例）に挿通された状態のシャフト９８が、外面１０Ｓ側から挿入されてかしめ部がかしめられることによりシャフト固定穴１８に固定される。
【００１７】
ここで、図４は、前板１０にローラー８８がシャフト９８によって固定された状態を示す図である。図４に示すように、シャフト９８は、前板１０の外面１０Ｓに対して垂直に固定される。シャフト９８は、ローラー８８の回転軸となる。すなわち、ローラー８８は、外面１０Ｓ側に突出するように配置されており、外面１０Ｓと垂直な方向を回転軸として回転可能に外面１０Ｓに設けられる。
【００１８】
（スライドカバー６０の構成）
実施形態に係るスライドカバー６０の構成について、図面を参照しながら説明する。図５は、前板１０に押さえ板７０をねじ９３によって固定した状態を示す図である。図６は、図３のＡ−Ａ線で切った断面図である。図７は、図６における破線で囲んだ領域Ｚの拡大図である。ただし、便宜上、図５では、プレート６２が組み付けられていない状態を示している。また、下記の説明では、図３を適宜参照する。
【００１９】
スライドカバー６０は、図３に示したように、カバー部６１と、プレート６２と、を備える。プレート６２は、カバー部６１と外面１０Ｓの間に、前板１０と平行に配置される。プレート６２は、カバー部６１よりも外形の小さい、矩形の板状部材である。プレート６２は、一対のばね固定穴６５と、３つの開口部６６と、３つの受け部６７と、一対のガイド穴６８（ガイドレールの一例）と、を有する。
【００２０】
ばね固定穴６５は、プレート６２の上下方向における中央付近に前板１０のばね開口部１２と対向するように形成される。ばね固定穴６５は中立ばね８５の線径よりも大きな直径の円形状を有する。ばね固定穴６５には、中立ばね８５の端部８５ｂが固定される。中立ばね８５の端部８５ａはピン９５に固定される。中立ばね８５は、カバー部６１がユーザによって上下にスライドされる際に、カバー部６１に付勢力を与える。すなわち、スライドカバー６０が開状態および閉状態の間の、より開状態に近い位置にあるときにはスライドカバー６０を開状態に向けて（下方に）付勢する。また、より閉状態に近い位置にあるときにはスライドカバー６０を閉状態に向けて（上方に）付勢する。
【００２１】
開口部６６は、プレート６２の左右方向における中央付近、左端、右端の３箇所に、前板１０の押さえ板固定穴１３と各々対向するように形成される。開口部６６は、上下方向に伸びる矩形形状を有する。開口部６６は、スライドカバー６０の開状態と、閉状態と、遷移状態と、において、外面１０Ｓに固定された押さえ板７０と干渉しない形状である。
受け部６７は、３つの開口部６６の各々について、左右方向に隣接した位置に形成される。受け部６７は、右端の開口部６６の右側と、中央および左端の開口部６６の左側に形成される。受け部６７は、図７に示すように、プレート６２の表面よりも前板１０側に１段窪んだ形状となっている。受け部６７はプレート６２と平行な矩形形状の平面を有する。受け部６７は、開口部６６の長手辺に沿って、上下に延びるように形成されている。
【００２２】
ガイド穴６８は、プレート６２の左端と右端の２箇所に長穴状に形成される。一対のガイド穴６８のうち１つは、右端の開口部６６および受け部６７の左側近傍に形成される。一対のガイド穴６８のうち１つは、右端の１組のシャフト固定穴１８と対向するように上下方向に形成される。２つのガイド穴６８のうち他の１つは、中央の開口部６６および受け部６７の左側近傍に形成される。一対のガイド穴６８のうち他の１つは、左端の１組のシャフト固定穴１８と対向するように上下方向に形成される。ガイド穴６８は、短辺の長さがローラー８８の直径よりも大きい、上下方向に伸びる矩形形状を有する。
【００２３】
ここで、図７に示すように、ガイド穴６８の２つの長辺に沿って、プレート６２の表面に対して直角に、後方に向けて折り曲げられたガイド６８ａおよびガイド６８ｂが設けられる。２箇所のガイド穴６８は、それぞれ互いに平行に配置され、前板１０とスライドカバー６０を組み付ける際に、２組のローラー８８がそれぞれ２箇所のガイド穴６８に挿入される。このとき、ローラー８８は、ガイド６８ａおよびガイド６８ｂのうちいずれかと接触し得る。また、前板１０とスライドカバー６０とが組み付けられた状態において、スライドカバー６０が閉状態であるとき、２組のローラー８８のうち下側のローラー８８は、ガイド穴６８の下端に当接する。スライドカバー６０が開状態であるとき、２組のローラー８８のうち上側のローラー８８は、ガイド穴６８の上端に当接する。
【００２４】
なお、ガイド穴６８およびローラー８８は、左右方向においてレンズ開口部１１の位置と重複しない位置に配置することが望ましい。これは次のような理由による。スライドカバー６０が上下に移動する際に、前方から前板１０に向けて強く圧迫されてたわんだ状態であると、後方に向けて折り曲げられたガイド６８ａおよびガイド６８ｂが前板１０に接触してしまう可能性がある。そのような場合であっても上記のような配置であれば、レンズ開口部１１から露出するレンズ８０（またはレンズ８０を保護するためのカバーガラス等）に擦り傷がついてしまうこともなく、撮像される画像に影響を与えることがない。
【００２５】
プレート６２は、押さえ板７０によって前板１０から離間しないよう前後方向の移動を規制される。押さえ板７０（規制部材の一例）は、固定部７３と、押さえ部７７と、を有する。固定部７３は、矩形形状を有する板状部である。固定部７３は、ねじ固定用のタップを有する。固定部７３は、図７に示すように、内面１０Ｔ側から押さえ板固定穴１３を貫通したねじ９３によって、外面１０Ｓに固定される。押さえ部７７は、固定部７３と平行かつ段違いに配置された、矩形形状の板状部である。押さえ部７７と外面１０Ｓの間に、受け部６７が位置する。この構成により、プレート６２の受け部６７は、押さえ部７７によって前後方向の移動を規制される一方、上下方向の移動を規制することはない。すなわち、押さえ板７０は、開口部６６の長辺に沿って移動できるように開口部６６に係止されている。したがって、プレート６２は前板１０から離間することなく、上下方向に平行にスライド可能となる。
【００２６】
カバー部６１は、前板１０のプレート６２上に配置される矩形の板状部材である。カバー部６１は、両面テープによってプレート６２に固定される。
（スライドカバー６０の動作）
実施形態に係るスライドカバー６０の動作について、図面を参照しながら説明する。
前述のとおり、スライドカバー６０の閉状態では、スライドカバー６０は筐体上部に配置されている。このとき、中立ばね８５は、スライドカバー６０を上方に向けて付勢している。その結果、２組のローラー８８のうち下側のローラー８８は、ガイド穴６８の下端に当接した状態、すなわち閉状態を維持している。ユーザがカバー部６１に対し下方に力を加えると、力を加えた位置や力の向きによって、スライドカバー６０には様々な方向に力がかかる。しかしながら、前後方向の力に対しては、受け部６７が押さえ部７７と外面１０Ｓによって規制される。また左右方向の力に対しては、ローラー８８がガイド６８ａまたはガイド６８ｂによって規制される。よってユーザがかける力の向きや位置に依存せず、スライドカバー６０の動きは筐体上下方向のみに限定される。またスライド時にローラー８８がガイド６８ａまたはガイド６８ｂと接触した場合にも、ローラー８８が回転することにより、スライドカバー６０が滑らかにスライド可能となる。
【００２７】
このようにしてスライドカバー６０が下方にスライド移動する結果、２組のローラー８８のうち上側のローラー８８がガイド穴６８の上端に当接して開状態となり、スライドカバー６０の移動は停止する。このとき中立ばね８５は、スライドカバー６０を下方に向けて付勢している。その結果、２組のローラー８８のうち上側のローラー８８は、ガイド穴６８の上端に当接した開状態を維持する。
【００２８】
スライドカバー６０が開状態から閉状態へ移動する際も、同様である。
（作用及び効果）
（１）実施形態に係るデジタルカメラ１００は、外面１０Ｓ側に突出するガイド部材を有する前板１０を含む筐体と、前板１０の外面１０Ｓ側に配置され、ガイド部材が挿入されて案内される長穴状のガイド穴６８を有するスライドカバー６０と、前板１０の外面１０Ｓ側に配置され、ガイド部材がガイド穴６８に挿入された状態を保持しかつスライドカバー６０が前板１０に対して離間しないように、スライドカバー６０の位置を規制する押さえ板７０と、を備える。
【００２９】
この構成により、スライドカバー６０をスライド可能に固定するための機構、すなわちガイド部材、ガイド穴６８および押さえ板７０等を、前板１０の前方、すなわち筐体の外側に構成することができるため、筐体内に納めるべき部品の点数を削減でき、その分だけ筐体の前後方向の厚みを削減することが可能となる。したがって、筐体の小型化が容易な電子機器を提供することができる。また、筐体内のフレーム等ではなく、前板１０に直接ガイド部材を固定するため、部品点数が削減できる。
【００３０】
（２）本実施形態に係るデジタルカメラ１００において、ガイド部材は、前板１０の外面１０Ｓと垂直な方向を回転軸として回転可能に設けられたローラー８８であり、ガイド穴６８は、ローラー８８と当接するガイド６８ａおよびガイド６８ｂを備える。
この構成により、スライドカバー６０がスライドする際に、ユーザがスライドカバー６０にどのように力をかけたとしても、ガイド６８ａおよびガイド６８ｂのいずれかがローラー８８に接触し、ローラー８８が回転することにより、スライドカバー６０が滑らかにスライド可能となる。
【００３１】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
（Ａ）上記実施の形態では、ガイド穴６８にローラー８８が挿入され、ガイド穴６８に沿ってローラー８８が相対的に移動することにより、スライドカバー６０がスライドする構成について説明したが、これに限られるものではない。たとえば、ローラー８８とシャフト９８の代わりに、ガイドピンを設けるようにしてもよい。
【００３２】
（Ｂ）上記実施形態では、「板状部材」の一例として前板１０について説明したが、これに限られるものではない。「板状部材」としては、後板２０、上板３０及び側板４０が挙げられる。
（Ｃ）上記実施形態では、「電子機器」の一例としてデジタルカメラ１００を挙げて説明したが、これに限られるものではない。「電子機器」としては、ビデオカメラ、携帯電話、ＩＣレコーダーなどが挙げられる。
【００３３】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００３４】
本発明によれば、機器本体の小型化が容易な電子機器及び撮像装置を提供することができるので、電子機器分野に利用可能である。
【符号の説明】
【００３５】
１０  前板
１０Ｈ  非可視部
１０Ｔ  内面
１０Ｓ  外面
１１  レンズ開口部
１２  ばね開口部
１３  押さえ板固定穴
１５  ピン固定穴
１８  シャフト固定穴
２０  後板
３０  上板
４０  側板
６０  スライドカバー
６１  カバー部
６２  プレート
６５  ばね固定穴
６６  開口部
６７  受け部
６８  ガイド穴
６８ａ  ガイド
６８ｂ  ガイド
７０  押さえ板
７３  固定部
７７  押さえ部
８０  レンズ
８５  中立ばね
８５ａ  端部
８５ｂ  端部
８８  ローラー
９３  ねじ
９５  ピン
９８  シャフト
【図１】
2013080216.tif 000003
【図２】
2013080216.tif 000004
【図３】
2013080216.tif 000005
【図４】
2013080216.tif 000006
【図５】
2013080216.tif 000007
【図６】
2013080216.tif 000008
【図７】
2013080216.tif 000009